(57)【要約】      （修正有）【課題】複数メーカーの高効率給湯機と容易にシステム化が可能で、夜間の安価電力及び循環蓄熱方式を利用して経費削減が出来、且つ、駆動部を削減してＣＯ２排出量を減少し、且つ、保温利用後の中温水（５５℃程度）の有効利用が図れる蓄熱式循環保温ユニットを提供する。【解決手段】高効率ヒートポンプ給湯機３と貯湯タンクユニット１と蓄熱式循環槽２から成り、且つ、夜間の蓄熱時間帯時は貯湯タンクユニット上部排出口１ｂと蓄熱式循環槽上部給入口２ａ間に設けた夜間蓄熱用の循環槽蓄熱ポンプ９を作動して高温給湯水を蓄熱式循環槽へ注水し、且つ、昼間の保温時間帯時は給湯還り管部に設けた温度センサー８により循環放熱による温度低下を検出し、蓄熱式循環槽上部排出口部２ｂに設けた比例式電動三方弁６で給湯還り湯と蓄熱式循環槽上部から排出する高温給湯水を調合させて給湯還り管内温度の低下を防止するものである。【選択図】図１
0003158272.tif 000002
【実用新案登録請求の範囲】
【請求項１】
夜間に蓄熱式循環槽に蓄熱されたお湯を昼間に使用する効率の良い蓄熱式循環保温ユニットであって、該蓄熱式循環保温ユニットは主に高効率ヒートポンプ給湯機（３）と、貯湯タンクユニット（１）と、蓄熱式循環槽（２）から成り、且つ、夜間の蓄熱時間帯時は貯湯タンクユニット上部排出口（１ｂ）と蓄熱式循環槽上部給入口（２ａ）間に設けた夜間蓄熱用の循環槽蓄熱ポンプ（９）を作動して高温給湯水を蓄熱式循環槽へ注水し、且つ、昼間の保温時間帯時は給湯還り管部に設けた温度センサー（８）により循環放熱による温度低下を検出し、蓄熱式循環槽上部排出口（２ｂ）部に設けた比例式電動三方弁（６）で給湯還り湯と蓄熱式循環槽上部から排出する高温給湯水を調合させて給湯還り管内温度の低下を防止する事を特徴とする蓄熱式循環保温ユニット。
【考案の詳細な説明】
【技術分野】
【０００１】
この考案は、蓄熱式循環保温ユニットに関するものである。
【背景技術】
【０００２】
近年、高効率給湯機（エコキュート等）が普及し、新聞やテレビやラジオ等で多く宣伝されている。この高効率給湯機は二次（建物内部）側の循環保温用は、専用のヒートポンプや電熱ヒーターにて保温を行っている。
【０００３】
その為、エコキュートの特性上、給水から高温まで大温度差昇温では効率が良いが、小温度差省温では効率が低いため適さない。
【０００４】
又、熱効率を上げる為には、別の小温度差熱源を用意する必要があり、又、昼間の電気料金で運転する為、経費が高くつく等の問題があった。
【０００５】
更に、各メーカーが独自の循環保温装置を高効率給湯機本体に搭載している為、ユニット間のマッチングをとるのが難しい等の問題があった。
【先行技術文献】
【特許文献】
【０００６】
そこで、これまでに出願されている高効率給湯器に関する特許文献を参考の為、紹介する（特許文献１参照）。
【特許文献１】特開２００２−０７１２１５
【考案の概要】
【考案が解決しようとする課題】
【０００７】
そこで、上記課題を解決する為に、この考案は複数メーカーの高効率給湯機（エコキュート）と容易にシステム化が可能で、夜間の安価電力及び循環蓄熱方式を利用して経費削減が出来、且つ、駆動部を削減してＣＯ2排出量を減少し、且つ、保温利用後の中温水（５５℃程度）の有効利用が図れる蓄熱式循環保温ユニットを開発・提供する事にある。
【課題を解決するための手段】
【０００８】
この課題を解決するための手段として、夜間に蓄熱式循環槽に蓄熱されたお湯を昼間に使用する効率の良い蓄熱式循環保温ユニットであって、該蓄熱式循環保温ユニットは主に高効率ヒートポンプ給湯機と、貯湯タンクユニットと、蓄熱式循環槽から成り、且つ、夜間の蓄熱時間帯時は貯湯タンクユニット上部排出口と蓄熱式循環槽上部給入口間に設けた夜間蓄熱用の循環槽蓄熱ポンプを作動して高温給湯水を蓄熱式循環槽へ注水し、且つ、昼間の保温時間帯時は給湯還り管部に設けた温度センサーにより循環放熱による温度低下を検出し、蓄熱式循環槽上部排出口部に設けた比例式電動三方弁で給湯還り湯と蓄熱式循環槽上部から排出する高温給湯水を調合させて給湯還り管内温度の低下を防止する事を特徴とするものである。
【考案の効果】
【０００９】
この考案の効果として、夜間に蓄熱式循環槽に蓄熱されたお湯を昼間に使用する効率の良い蓄熱式循環保温ユニットであって、該蓄熱式循環保温ユニットは主に高効率ヒートポンプ給湯機と、貯湯タンクユニットと、蓄熱式循環槽から成り、且つ、夜間の蓄熱時間帯時は貯湯タンクユニット上部排出口と蓄熱式循環槽上部給入口間に設けた夜間蓄熱用の循環槽蓄熱ポンプを作動して高温給湯水を蓄熱式循環槽へ注水し、且つ、昼間の保温時間帯時は給湯還り管部に設けた温度センサーにより循環放熱による温度低下を検出し、蓄熱式循環槽上部排出口部に設けた比例式電動三方弁で給湯還り湯と蓄熱式循環槽上部から排出する高温給湯水を調合させて給湯還り管内温度の低下を防止する事で、複数メーカーの高効率給湯機（エコキュート）と容易にシステム化が可能で、夜間の安価電力及び循環蓄熱方式を利用して経費削減が出来、且つ、駆動部を削減して故障率を低減し、更に高効率給湯機での保温熱供給によりＣＯ2排出量を削減し、且つ、保温利用後の中温水（５５℃程度）の有効利用が図れる等、極めて有益なる効果を奏するものである。
【図面の簡単な説明】
【００１０】
【図１】この考案の一実施例を示し、昼間放熱時の動作説明図である。
【図２】この考案の一実施例を示し、夜間畜熱時の動作説明図である。
【考案を実施するための形態】
【００１１】
この考案を実施するための形態として、夜間に蓄熱式循環槽に蓄熱されたお湯を昼間に使用する効率の良い蓄熱式循環保温ユニットであって、該蓄熱式循環保温ユニットは主に高効率ヒートポンプ給湯機（３）と、貯湯タンクユニット（１）と、蓄熱式循環槽（２）から成り、且つ、夜間の蓄熱時間帯時は貯湯タンクユニット上部排出口（１ｂ）と蓄熱式循環槽上部給入口（２ａ）間に設けた夜間蓄熱用の循環槽蓄熱ポンプ（９）を作動して高温給湯水を蓄熱式循環槽へ注水し、且つ、昼間の保温時間帯時は給湯還り管部に設けた温度センサー（８）により循環放熱による温度低下を検出し、蓄熱式循環槽上部排出口（２ｂ）部に設けた比例式電動三方弁（６）で給湯還り湯と蓄熱式循環槽上部から排出する高温給湯水を調合させて給湯還り管内温度の低下を防止する事を特徴とする蓄熱式循環保温ユニットから構成される。
【実施例１】
【００１２】
そこで、この考案の一実施例を図１〜図２に基づいて詳述すると、蓄熱式循環保温ユニットは、主に高温の給湯水を製造する高効率ヒートポンプ給湯機（３）と、翌日使用する高温の給湯水を蓄熱する貯湯タンクユニット（１）と、室内（二次側）の循環配管を保温するために、夜間高温（９０℃〜７０℃）の給湯水を蓄熱する専用タンクの蓄熱式循環槽（２）から成り、且つ、高効率ヒートポンプ給湯機（３）給入口（３ａ）と貯湯タンクユニット（１）下部排出口（１ｂ"）間にミキシングバルブ（１０）を介して接続し、且つ、高効率ヒートポンプ給湯機（３）排出口（３ｂ）と貯湯タンクユニット（１）の上部給入口（１ａ）及び下部排出口（１ｂ'）間に比例式電動三方弁（６）を介して分配接続し、且つ、比例式電動三方弁（６）の吸入口（６ａ）は高効率ヒートポンプ給湯機（３）の給入口（３ａ）と、比例式電動三方弁（６）の排出口（６ｂ）は貯湯タンクユニット（１）の上部給入口（１ａ）と、比例式電動三方弁（６）の排出口（６ｂ'）は貯湯タンクユニット（１）の下部排出口（１ｂ'）にそれぞれ接続し、且つ、比例式電動三方弁（６）の排出口（６ｂ）と貯湯タンクユニット（１）の上部給入口（１ａ）間には自動エアー抜き（５'）を設けている。又、前記高効率ヒートポンプ給湯機（３）の入水温度は１℃〜６３℃で、入水温度の低い方は効率が高く、入水温度の高い方は効率が低い。又、前記貯湯タンクユニット（１）内及び蓄熱式循環槽（２）内は上部の９０℃のお湯（ＨＷ）と下部の低温水（Ｗ）間に混合層（ＭＳ）を生じさせて、蓄熱効率の高い温度成層蓄熱を可能にし、且つ、昼間給湯使用時も温度成層を保持して所定温度のお湯を最後まで使い切る構造に設けている。
【００１３】
又、給水口と貯湯タンクユニット（１）の下部給入口（１ａ'）及び蓄熱式循環槽（２）下部給入口（２ａ"）間に、減圧弁装置（７）を介して分配接続している。
【００１４】
又、貯湯タンクユニット（１）の上部排出口（１ｂ）と蓄熱式循環槽（２）下部排出口（２ｂ'）及び給湯往き口間に、ミキシングバルブ（１０）を介して分配接続し、且つ、貯湯タンクユニット（１）の上部排出口（１ｂ）と蓄熱式循環槽（２）上部給入口（２ａ）間に循環槽蓄熱ポンプ（９）と定水量弁（１１）を介して接続している。
【００１５】
又、給湯還り口と蓄熱式循環槽（２）下部給入口（２ａ'）間を接続し、且つ、給湯往き口と蓄熱式循環槽（２）上部排出口（２ｂ）及び蓄熱式循環槽（２）下部給入口（２ａ'）間に温度センサー（８）と比例式電動三方弁（６）を介して接続し、且つ、比例式電動三方弁（６）の給入口（６ａ）は蓄熱式循環槽（２）の下部給入口（２ａ'）に、比例式電動三方弁（６）の給入口（６ａ'）は蓄熱式循環槽（２）上部排出口（２ｂ）とそれぞれ接続して設け、且つ、比例式電動三方弁（６）の排出口（６ｂ）と給湯往き口間に給湯循環ポンプ（９'）を設けている。
【００１６】
又、貯湯タンクユニット（１）の下部給入口（１ａ'）は二つに分岐され、一方側は給水口と、他方側は密閉型膨張タンク（４）の給入口に接続され、給水側の水圧が定格圧力を超えると密閉型膨張タンク（４）で圧力を吸収して安全を確保する仕組みに成っている。
【００１７】
又、貯湯タンクユニット（１）及び蓄熱式循環槽（２）の上部中央にはバキュームブレーカー（５）と自動エアー抜き（５'）が設けられ、且つ、貯湯タンクユニット（１）と蓄熱式循環槽（２）と高効率ヒートポンプ給湯機（３）の下部にはドレーン排出口（１ｃ）（２ｃ）（３ｃ）がそれぞれ設けられ、且つ、それぞれの排出口（１ｃ）（２ｃ）（３ｃ）にはストップバルブ（１２）（１２）（１２）がそれぞれ設けられ、排水口に接続されている。
【００１８】
次に、この考案の取り扱い要領について説明すると、まず、昼間の保温時間帯は、二次側でシャワー、水栓等での給湯が使用されない時間帯には、循環による熱損失により配管内の温度が低下する。この様な場合、給湯還り管に設置した温度センサー（８）で温度低下を検出し、比例式電動三方弁（６）で給湯還り湯と蓄熱した９０℃のお湯（ＨＷ）をミキシングさせ、５℃上昇（６０℃）にて循環させて管内の温度低下を防ぐ。またこの熱は専用の循環槽に夜間蓄熱した高温水を使用する。
【００１９】
又、蓄熱槽の熱は、二次側の給湯還りの管内温度が５５℃程度の為、熱利用は５５℃までであるが、昼間のシャワー等の消費により、ミキシングにて供給される６５℃の内の５５℃までは全て熱利用されるので、夜間の高効率ヒートポンプ給湯機（エコキュート）（３）運転時における入水温度上昇による熱効率低下を防止する役目も果たしている。
【００２０】
そして、夜間の蓄熱時間帯に入ると、循環槽蓄熱ポンプ（９）を稼動し、メインの貯湯タンクユニット（１）の上部にある高温給湯水を蓄熱式循環槽（２）の上部給入口（２ａ）へ注水し、蓄熱を行なっていく。これにより、蓄熱式循環槽（２）内は９０℃の高温水が蓄熱され、翌日の室内（二次側）循環保温用の高温水が蓄熱される。この槽は循環保温専用の蓄熱槽である。
【産業上の利用可能性】
【００２１】
この考案の蓄熱式循環保温ユニットは、複数メーカーの高効率給湯機（エコキュート）と容易にシステム化が可能で、夜間の安価電力及び循環蓄熱方式を利用して経費削減が出来、且つ、駆動部を削減してＣＯ2排出量を減少し、且つ、保温利用後の中温水（５５℃程度）の有効利用が図れる為、多くの給湯器関係市場に寄与する点で産業上の利用可能性を有する。
【符号の説明】
【００２２】
１  貯湯タンクユニット
１ａ  上部給入口
１ａ'  下部給入口
１ｂ  上部排出口
１ｂ'  下部排出口
１ｂ"  下部排出口
１ｃ  ドレーン排出口
２  蓄熱式循環槽
２ａ  上部給入口
２ａ'  下部給入口
２ａ"  下部給入口
２ｂ  上部排出口
２ｂ'  下部排出口
２ｃ  ドレーン排出口
３  高効率ヒートポンプ給湯機（エコキュート）
３ａ  給入口
３ｂ  排出口
３ｃ  ドレーン排出口
４  密閉型膨張タンク
４ａ  給入口
５  バキュームブレーカー
５'  自動エアー抜き
６  比例式電動三方弁
６ａ  給入口
６ａ'  給入口
６ｂ  排出口
６ｂ'  排出口
７  減圧弁装置
８  温度センサー
９  循環槽蓄熱ポンプ
９'  給湯循環ポンプ
１０  ミキシングバルブ
１１  定水量弁
１２  ストップバルブ
１３  ストップバルブ
１４  安全弁
ＭＳ  混合層
ＨＷ  お湯
Ｗ  水
【図１】
0003158272.tif 000003
【図２】
0003158272.tif 000004